(57)【要約】【課題】無駄な電力消費を抑制する。【解決手段】充電台の充電台制御部は、親機が親待機モードを取っている場合において、子機が子待機モードから子オフモードに移行する子オフモード移行信号を受信した場合、非給電モードを取るように給電部を制御する。【選択図】図７
2019180177.tif 000002
【特許請求の範囲】
【請求項１】
通信回線網を介して外部装置と通信するための親通信部を有する親機と、
非接触で電力が供給される受電部、前記受電部に供給された電力を蓄えるバッテリ、並びに、前記親通信部及び前記通信回線網を介して外部装置と通信するための子通信部を有する子機と、
前記子機を支持可能な支持部、前記支持部に支持された前記子機の前記受電部に非接触で電力を供給するための給電部、前記親機及び前記子機と通信するための通信部、並びに、前記給電部を制御する制御部を有する充電台とを備えた通信装置において、
前記親機は、外部装置に対して前記親通信部が通信不可能な親オフモード、及び、外部装置に対して前記親通信部が通信可能であって前記親オフモードにおけるよりも消費電力が多い親待機モードを取ることが可能であり、
前記子機は、前記親通信部に対して前記子通信部が通信不可能な子オフモード、及び、前記親通信部に対して前記子通信部が通信可能であって前記子オフモードにおけるよりも消費電力が多い子待機モードを取ることが可能であり、
前記充電台は、前記子機の前記受電部に電力を供給不可能な非給電モード、及び、前記子機の前記受電部に電力を供給可能であって前記非給電モードにおけるよりも消費電力が多い給電モードを取ることが可能であり、
前記制御部は、
前記親機が前記親待機モードを取っている場合において、前記子機が前記子待機モードから前記子オフモードに移行する信号を受信した場合、前記非給電モードを取るように前記給電部を制御する給電停止処理を実行可能であることを特徴とする通信装置。
【請求項２】
前記制御部は、
前記親機が前記親待機モードを取っている場合において、前記子機が前記子オフモードから前記子待機モードに移行した信号を受信した場合、前記非給電モードから前記給電モードに移行するように前記給電部を制御する給電処理をさらに実行可能であることを特徴とする請求項１に記載の通信装置。
【請求項３】
通信回線網を介して外部装置と通信するための親通信部及び前記親通信部を制御する親制御部を有する親機と、
非接触で電力が供給される受電部、前記受電部に供給された電力を蓄えるバッテリ、前記親通信部及び前記通信回線網を介して外部装置と通信するための子通信部、並びに、前記子通信部を制御する子制御部を有する子機と、
前記子機を支持可能な支持部、前記支持部に支持された前記子機の前記受電部に非接触で電力を供給するための給電部、前記親機及び前記子機と通信するための通信部、並びに、前記給電部を制御する制御部を有する充電台とを備えた通信装置において、
前記親機は、外部装置に対して前記親通信部が通信不可能な親オフモード、及び、外部装置に対して前記親通信部が通信可能であって前記親オフモードにおけるよりも消費電力が多い親待機モードを取ることが可能であり、
前記子機は、前記親通信部に対して前記子通信部が通信不可能な子オフモード、及び、前記親通信部に対して前記子通信部が通信可能であって前記子オフモードにおけるよりも消費電力が多い子待機モードを取ることが可能であり、
前記充電台は、前記子機の前記受電部に電力を供給不可能な非給電モード、及び、前記子機の前記受電部に電力を供給可能であって前記非給電モードにおけるよりも消費電力が多い給電モードを取ることが可能であり、
前記制御部は、
前記親機が前記親待機モードから前記親オフモードへ移行する信号を受信した場合、前記非給電モードを取るように前記給電部を制御する給電停止処理を実行可能であることを特徴とする通信装置。
【請求項４】
前記子制御部は、前記充電台が前記給電モードから前記非給電モードに移行する信号を受信した場合、前記子待機モードから前記子オフモードに移行するように前記子通信部を制御することを特徴とする請求項３に記載の通信装置。
【請求項５】
前記制御部は、
前記親機が前記親オフモードから前記親待機モードに移行する信号を受信した場合、前記非給電モードから前記給電モードに移行するように前記給電部を制御する給電処理をさらに実行可能であることを特徴とする請求項４に記載の通信装置。
【請求項６】
前記子制御部は、前記充電台が前記非給電モードから前記給電モードに移行する信号を受信した場合、前記子オフモードから前記子待機モードに移行するように前記子通信部を制御することを特徴とする請求項５に記載の通信装置。
【請求項７】
前記親機は、メンテナンスを実行するメンテナンス実行手段を有しており、
前記親制御部は、前記親オフモードを取っている場合において、当該メンテナンスに係る所定条件を満たした場合、前記充電台に対して前記親待機モードに移行する信号を送信せずに前記親オフモードから前記親待機モードに移行するように前記親通信部を制御した後、前記メンテナンスを実行するように前記メンテナンス実行手段を制御することを特徴とする請求項５又は６に記載の通信装置。
【請求項８】
電力が供給される受電部、前記受電部に供給された電力を蓄えるバッテリ、及び、通信回線網を介して外部装置と通信するための第１通信部を有する通信機と、
前記通信機を支持可能な支持部、前記支持部に支持された前記通信機の前記受電部に電力を供給するための給電部、前記通信機と通信するための第２通信部、及び、前記給電部を制御する制御部を有する充電台とを備えた通信装置において、
前記通信機は、外部装置に対して前記第１通信部が通信不可能なオフモード、及び、外部装置に対して前記第１通信部が通信可能であって前記オフモードにおけるよりも消費電力が多い待機モードを取ることが可能であり、
前記充電台は、前記通信機の前記受電部に電力を供給不可能な非給電モード、及び、前記通信機の前記受電部に電力を供給可能であって前記非給電モードにおけるよりも消費電力が多い給電モードを取ることが可能であり、
前記制御部は、
前記通信機が前記待機モードから前記オフモードに移行する信号を受信した場合、前記非給電モードを取るように前記給電部を制御する給電停止処理を実行可能であることを特徴とする通信装置。
【発明の詳細な説明】
【技術分野】
【０００１】
本発明は、通信回線網を介して外部装置と通信可能な通信装置に関する。
【背景技術】
【０００２】
特許文献１には、設置された携帯電話機に対して非接触で充電可能な充電器について記載されている。この充電器は、所定パターンの負荷変動が検出される場合、携帯電話機を継続して充電する。これにより、充電器にコインなどの金属物が投入されたとしても発熱の危険を防ぐことが可能となる。
【先行技術文献】
【特許文献】
【０００３】
【特許文献１】特開２００２−３４１６９号公報
【発明の概要】
【発明が解決しようとする課題】
【０００４】
しかしながら、上記特許文献１に記載の充電器においては、携帯電話機の電源がオフの場合に、充電を継続するか否かについては記載されていない。携帯電話機を使用しない場合に電源をオフ（すなわち、通信不可能状態）にして、充電器に設置したときに充電を継続する場合、特に必要のないときでも携帯電話機に充電しようとして無駄な電力消費が生じる問題がある。また、電源をオフにした携帯電話機を充電器に設置した場合に、微弱磁界を出力する状態に保持されている場合でも、無駄な電力消費が生じる問題がある。
【０００５】
本発明の目的は、無駄な電力消費を抑制することが可能な通信装置を提供することである。
【課題を解決するための手段】
【０００６】
本発明の通信装置は、第１の観点では、通信回線網を介して外部装置と通信するための親通信部を有する親機と、非接触で電力が供給される受電部、前記受電部に供給された電力を蓄えるバッテリ、並びに、前記親通信部及び前記通信回線網を介して外部装置と通信するための子通信部を有する子機と、前記子機を支持可能な支持部、前記支持部に支持された前記子機の前記受電部に非接触で電力を供給するための給電部、前記親機及び前記子機と通信するための通信部、並びに、前記給電部を制御する制御部を有する充電台とを備えた通信装置において、前記親機は、外部装置に対して前記親通信部が通信不可能な親オフモード、及び、外部装置に対して前記親通信部が通信可能であって前記親オフモードにおけるよりも消費電力が多い親待機モードを取ることが可能であり、前記子機は、前記親通信部に対して前記子通信部が通信不可能な子オフモード、及び、前記親通信部に対して前記子通信部が通信可能であって前記子オフモードにおけるよりも消費電力が多い子待機モードを取ることが可能であり、前記充電台は、前記子機の前記受電部に電力を供給不可能な非給電モード、及び、前記子機の前記受電部に電力を供給可能であって前記非給電モードにおけるよりも消費電力が多い給電モードを取ることが可能である。そして、前記制御部は、前記親機が前記親待機モードを取っている場合において、前記子機が前記子待機モードから前記子オフモードに移行する信号を受信した場合、前記非給電モードを取るように前記給電部を制御する給電停止処理を実行可能である。
【０００７】
これによると、充電台は、親機が親待機モードを取っている場合において、子機が子待機モードから子オフモードに移行する信号を受信した場合、非給電モードを取ることが可能となる。このため、子機を使用しない場合に、無駄な電力消費を抑制することが可能となる。
【０００８】
本発明において、前記制御部は、前記親機が前記親待機モードを取っている場合において、前記子機が前記子オフモードから前記子待機モードに移行した信号を受信した場合、前記非給電モードから前記給電モードに移行するように前記給電部を制御する給電処理をさらに実行可能であることが好ましい。これにより、子機を使用することが可能になるタイミングで、子機に電力を供給することが可能となる。
【０００９】
また、本発明の通信装置は、第２の観点では、通信回線網を介して外部装置と通信するための親通信部及び前記親通信部を制御する親制御部を有する親機と、非接触で電力が供給される受電部、前記受電部に供給された電力を蓄えるバッテリ、前記親通信部及び前記通信回線網を介して外部装置と通信するための子通信部、並びに、前記子通信部を制御する子制御部を有する子機と、前記子機を支持可能な支持部、前記支持部に支持された前記子機の前記受電部に非接触で電力を供給するための給電部、前記親機及び前記子機と通信するための通信部、並びに、前記給電部を制御する制御部を有する充電台とを備えた通信装置において、前記親機は、外部装置に対して前記親通信部が通信不可能な親オフモード、及び、外部装置に対して前記親通信部が通信可能であって前記親オフモードにおけるよりも消費電力が多い親待機モードを取ることが可能であり、前記子機は、前記親通信部に対して前記子通信部が通信不可能な子オフモード、及び、前記親通信部に対して前記子通信部が通信可能であって前記子オフモードにおけるよりも消費電力が多い子待機モードを取ることが可能であり、前記充電台は、前記子機の前記受電部に電力を供給不可能な非給電モード、及び、前記子機の前記受電部に電力を供給可能であって前記非給電モードにおけるよりも消費電力が多い給電モードを取ることが可能である。そして、前記制御部は、前記親機が前記親待機モードから前記親オフモードへ移行する信号を受信した場合、前記非給電モードを取るように前記給電部を制御する給電停止処理を実行可能である。
【００１０】
これによると、充電台は、親機が親待機モードから親オフモードに移行する信号を受信した場合、非給電モードを取ることが可能となる。このため、親機を使用しない、すなわち子機を使用することができない状況下において、無駄な電力消費を抑制することが可能となる。
【００１１】
また、本発明において、前記子制御部は、前記充電台が前記給電モードから前記非給電モードに移行する信号を受信した場合、前記子待機モードから前記子オフモードに移行するように前記子通信部を制御することが好ましい。これにより、子機の無駄な電力消費を抑制することが可能となる。
【００１２】
また、本発明において、前記制御部は、前記親機が前記親オフモードから前記親待機モードに移行する信号を受信した場合、前記非給電モードから前記給電モードに移行するように前記給電部を制御する給電処理をさらに実行可能であることが好ましい。これにより、子機を使用することが可能になるタイミングで、子機に電力を供給することが可能となる。
【００１３】
また、本発明において、前記子制御部は、前記充電台が前記非給電モードから前記給電モードに移行する信号を受信した場合、前記子オフモードから前記子待機モードに移行するように前記子通信部を制御することが好ましい。これにより、子機を使用することが可能になるタイミングで、子待機モードを取ることが可能となる。
【００１４】
また、本発明において、前記親機は、メンテナンスを実行するメンテナンス実行手段を有しており、前記親制御部は、前記親オフモードを取っている場合において、当該メンテナンスに係る所定条件を満たした場合、前記充電台に対して前記親待機モードに移行する信号を送信せずに前記親オフモードから前記親待機モードに移行するように前記親通信部を制御した後、前記メンテナンスを実行するように前記メンテナンス実行手段を制御することが好ましい。これにより、親機の一時的なメンテナンスで、親オフモードから親待機モードに移行した後における無駄な電力消費を抑制することが可能となる。
【００１５】
また、本発明の通信装置は、第３の観点では、電力が供給される受電部、前記受電部に供給された電力を蓄えるバッテリ、通信回線網を介して外部装置と通信するための第１通信部を有する通信機と、前記通信機を支持可能な支持部、前記支持部に支持された前記通信機の前記受電部に電力を供給するための給電部、前記通信機と通信するための第２通信部、及び、前記給電部を制御する制御部を有する充電台とを備えた通信装置において、前記通信機は、外部装置に対して前記第１通信部が通信不可能なオフモード、及び、外部装置に対して前記第１通信部が通信可能であって前記オフモードにおけるよりも消費電力が多い待機モードを取ることが可能であり、前記充電台は、前記通信機の前記受電部に電力を供給不可能な非給電モード、及び、前記通信機の前記受電部に電力を供給可能であって前記非給電モードにおけるよりも消費電力が多い給電モードを取ることが可能である。そして、前記制御部は、前記通信機が前記待機モードから前記オフモードに移行する信号を受信した場合、前記非給電モードを取るように前記給電部を制御する給電停止処理を実行可能である。
【００１６】
これによると、充電台は、通信機が待機モードからオフモードに移行する信号を受信した場合、非給電モードを取ることが可能となる。このため、通信機を使用しない場合に、無駄な電力消費を抑制することが可能となる。
【発明の効果】
【００１７】
本発明の通信装置の第１の観点によると、充電台は、親機が親待機モードを取っている場合において、子機が子待機モードから子オフモードに移行する信号を受信した場合、非給電モードを取ることが可能となる。このため、子機を使用しない場合に、無駄な電力消費を抑制することが可能となる。
本発明の通信装置の第２の観点によると、充電台は、親機が親待機モードから親オフモードに移行する信号を受信した場合、非給電モードを取ることが可能となる。このため、親機を使用しない、すなわち子機を使用することができない状況下において、無駄な電力消費を抑制することが可能となる。
本発明の通信装置の第３の観点によると、充電台は、通信機が待機モードからオフモードに移行する信号を受信した場合、非給電モードを取ることが可能となる。このため、通信機を使用しない場合に、無駄な電力消費を抑制することが可能となる。
【図面の簡単な説明】
【００１８】
【図１】本発明の一実施形態に係る通信装置の概略構成図である。
【図２】図１に示す通信装置のブロック図である。
【図３】親機で実行される制御フローを示しており、（ａ）はユーザの電源スイッチの操作に基づいて親機の電源がオン状態からオフ状態となるときの制御フロー図であり、（ｂ）はユーザの電源スイッチの操作に基づいて親機の電源がオフ状態からオン状態となるときの制御フロー図である。
【図４】充電台で実行される制御フローを示しており、（ａ）は給電モードを取るときに親オフモード移行信号を受信した場合の制御フロー図であり、（ｂ）は非給電モードを取るときに親待機モード移行信号を受信した場合の制御フロー図である。
【図５】子機で実行される制御フローを示しており、（ａ）は子待機モードを取るときに非給電モード移行信号を受信した場合の制御フロー図であり、（ｂ）は子オフモードを取るときに給電モード移行信号を受信した場合の制御フロー図である。
【図６】子機で実行される制御フローを示しており、（ａ）はユーザの電源スイッチの操作に基づいて子機の電源がオン状態からオフ状態となるときの制御フロー図であり、（ｂ）はユーザの電源スイッチの操作に基づいて子機の電源がオフ状態からオン状態となるときの制御フロー図である。
【図７】充電台で実行される制御フローを示しており、（ａ）は給電モードを取るときに子オフモード移行信号を受信した場合の制御フロー図であり、（ｂ）は非給電モードを取るときに子待機モード移行信号を受信した場合の制御フロー図である。
【図８】変形例に係る通信機のブロック図である。
【発明を実施するための形態】
【００１９】
以下、本発明の好適な実施の形態について説明する。
【００２０】
＜通信装置の全体構成＞
図１に示すように、本実施形態に係る通信装置１は、親機１０と、その親機１０と無線通信可能に構成された子機３０と、その子機３０が載置されている場合に、その子機３０に充電を行うことが可能な充電台５０とを有している。
【００２１】
＜親機１０の構成＞
本実施形態における親機１０は、プリンタ機能やスキャナ機能などを含む複合機である。親機１０は、図２に示すように、プリンタ部１１、スキャナ１２、表示部１３、入力部１４、電源スイッチ１５、スピーカ／マイク１６、時計回路１７、親制御部２０、親通信部２４、電力供給回路２８、ＡＣコード１０ａなどを含む。プリンタ部１１は、印刷を実行する部位である。スキャナ１２は、画像の読み取りを実行する部位である。表示部１３は、ユーザに情報を表示するインターフェースである。入力部１４は、ユーザが指示を入力するためのインターフェースである。スピーカ／マイク１６は、通話機能を実現するためのものである。時計回路１７は、時計機能を維持するための電力を保持するコンデンサなどを含み、時刻をバスライン１８に出力する。なお、親機１０は、変形例として、ＦＡＸ通信機能を実行するためのＦＡＸ通信部を有していてもよい。
【００２２】
電源スイッチ１５は、ユーザにより、親機１０の電源をオン状態とオフ状態とに選択的に切り替えるためのものである。親機１０の電源がオフ状態のときは、プリンタ部１１、スキャナ１２、表示部１３、入力部１４、スピーカ／マイク１６、時計回路１７、及び、親通信部２４への電力供給が遮断される。一方、親機１０の電源がオン状態のときは、親機１０の電力が必要な構成要素すべてに電力が供給される。本実施形態においては、親通信部２４の親機無線通信回路２５及び通信制御回路２６への電力供給について後述するが、親機１０のこれら以外のプリンタ部１１などの構成要素に対する電力供給は、親通信部２４の電源入断切替回路２７の動作と同様に動作する電源入断切替回路（不図示）によって同様な電力供給が行われる。
【００２３】
親制御部２０は、バスライン１８を介して、プリンタ部１１、表示部１３、スピーカ／マイク１６、時計回路１７及び親通信部２４の制御を行う。また、親制御部２０は、ＣＰＵ２１、ＲＯＭ２２、ＲＡＭ２３を有している。
【００２４】
ＣＰＵ２１は、親機１０の各部を制御する演算装置である。ＲＯＭ２２は、ＣＰＵ２１により実行される制御プログラムや充電台５０へ送信する各種信号（親オフモード移行信号及び親待機モード移行信号）を格納した書き換え不能な不揮発性のメモリである。ＲＡＭ２３は、制御プログラムの実行時に各種の情報を一時的に記憶するメモリである。
【００２５】
また、ＲＡＭ２３には、親オフモードフラグが記憶される。親オフモードフラグは、親機１０の親機無線通信回路２５及び通信制御回路２６へ電力が供給される親待機モードか、親機無線通信回路２５及び通信制御回路２６へ電力が遮断される親オフモードかを示すフラグである。親待機モードは、親オフモードよりも消費電力が多い。親オフモードフラグは、ユーザによる電源スイッチ１５の操作により、電源がオン状態となることでオフに設定され、電源がオフ状態となることでオンに設定される。親オフモードフラグがオフに設定されると、ＣＰＵ２１は、親機１０が親待機モードであると判断する。一方、親オフモードフラグがオンに設定されると、ＣＰＵ２１は、親機１０が親オフモードであると判断する。
【００２６】
ＣＰＵ２１とＲＯＭ２２とＲＡＭ２３とは、バスライン１８を介して相互に接続されている。よって、親機１０の電源がオン状態となると、ＣＰＵ２１は、ＲＯＭ２２から制御プログラムを読み出して、その読み出した制御プログラムを実行すると共に、制御プログラムの実行時に各種の情報をＲＡＭ２３に一時的に記憶させると共に、ＲＡＭ２３に記憶された各種情報を読み出して各種制御を実行する。なお、親機１０の電源がオフ状態であっても、ＡＣコード１０ａがＡＣコンセント７１に接続されている場合、そのオフ状態が所定期間経過したら、ＣＰＵ２１の制御により、一時的にオン状態とされ、時計回路１７のコンデンサに電力を供給するメンテナンス動作が実行される。また、ＣＰＵ２１は、表示部１３を制御して時計回路１７から出力される時刻を表示させる。
【００２７】
親通信部２４は、親機無線通信回路２５、アンテナ２５ａ、通信制御回路２６及び電源入断切替回路２７を含み、子機３０及び充電台５０と無線通信を行うための装置である。親機無線通信回路２５は、送信する情報を信号に変えてアンテナ２５ａに送り出す送信回路（図示せず）と、アンテナ２５ａで受信した信号から必要となる情報を取り出す受信回路（図示せず）とを有する回路である。また、親機無線通信回路２５は、後述の近距離通信回路４５，６５よりもその無線通信可能範囲が大きい（例えば、１０〜２０ｍ程度の範囲）。
【００２８】
通信制御回路２６は、電話回線網（通信回線網）８０と通信を実行するために信号の変調および復調を行う回路である。通信制御回路２６は、電話回線網８０と通信線により接続されると共に、バスライン１８にも接続される。通信制御回路２６は、電話回線網８０から着呼があると、電話回線網８０から信号を受信する。そして、通信制御回路２６は、受信した信号を復調し、バスライン１８へ出力する。出力された信号はＣＰＵ２１に受信される。また、通信制御回路２６は、ＣＰＵ２１からバスライン１８を介して信号を入力すると、その入力された信号を変調し、電話回線網８０へ送信する。
【００２９】
親機無線通信回路２５は、アンテナ２５ａと接続されると共に、バスライン１８にも接続される。親機無線通信回路２５は、ＣＰＵ２１からの信号を、バスライン１８を介して入力すると、その入力された信号を変換してアンテナ２５ａから放射する。一方、親機無線通信回路２５は、アンテナ２５ａが受信した信号を入力すると、その入力された信号から必要となる信号を取り出し、バスライン１８へ出力する。出力された信号はＣＰＵ２１に受信される。
【００３０】
また、親機無線通信回路２５及び通信制御回路２６は、電力を供給するための供給線２７ａ，２７ｂによって電源入断切替回路２７と互いに接続され、電源入断切替回路２７から電力が供給されている。このため、電源入断切替回路２７によって供給される電力が遮断され、親機１０が親待機モードから親オフモードに移行すると、親機無線通信回路２５及び通信制御回路２６による通信は不可能となる。
【００３１】
電源入断切替回路２７は、親機無線通信回路２５及び通信制御回路２６への電力の供給と遮断を切り替える装置である。電源入断切替回路２７は、電力を供給するための供給線２８ａによって電力供給回路２８と接続される。また、電源入断切替回路２７は、バスライン１８とも接続される。電源入断切替回路２７は、親待機モードから親オフモードに移行する際に、ＣＰＵ２１からバスライン１８を介して電力供給遮断の指示が入力されると、電力供給回路２８から親機無線通信回路２５及び通信制御回路２６へ供給される電力を遮断する。この後、親機１０が親待機モードから親オフモードに移行する。つまり、親オフモードにおいては、親機１０が電話回線網８０を介して外部装置（例えば、他の電話機や複合機など）に対して通信不可能となる。
【００３２】
なお、本実施形態において、親機１０が親待機モードから親オフモードに移行するのは、ユーザの電源スイッチ１５の操作により、親機１０の電源がオン状態からオフ状態にされた場合である。変形例として、親待機モードから親オフモードへの移行が、所定時間の間、何の操作及び動作が実行されない場合、当該所定時間経過後に自動的に行われてもよい。
【００３３】
一方、電源入断切替回路２７は、親オフモードから親待機モードに移行する際に、ＣＰＵ２１からバスライン１８を介して電力供給の指示が入力されると、電力供給回路２８から親機無線通信回路２５及び通信制御回路２６へ電力を供給する。この後、親機１０が親オフモードから親待機モードに移行する。つまり、親待機モードにおいては、親機１０が電話回線網８０を介して外部装置と通信可能となる。なお、本実施形態において、親機１０が親オフモードから親待機モードに移行するのは、ユーザの電源スイッチ１５の操作により、親機１０の電源がオフ状態からオン状態にされた場合である。
【００３４】
ここで、親制御部２０は、親オフモードから親待機モードに移行する際に、親機無線通信回路２５を介してアンテナ２５ａから親待機モード移行信号を充電台５０に送信し、親待機モードから親オフモードに移行する際に、親機無線通信回路２５を介してアンテナ２５ａから親オフモード移行信号を充電台５０に送信する。
【００３５】
電力供給回路２８は、電源入断切替回路２７を介して親機無線通信回路２５及び通信制御回路２６へ電力を供給する装置である。電力供給回路２８は、ＡＣコンセント７１からＡＣコード１０ａを介して供給された電力を、所定の電力量に設定し、電源入断切替回路２７に供給する。なお、電力供給回路２８は、図示しない他の電源入断切替回路へも電力を供給する。
【００３６】
次に、充電台５０について説明する。充電台５０は、図１に示すように、子機３０が載置されたときに子機３０を支持する支持部５０ａと、ＡＣコード５０ｂとを有しており、子機３０を支持部５０ａで支持しているときに、子機３０に充電可能に構成されている。ＡＣコード５０ｂは、図２に示すように、ＡＣコンセント７２に接続される。また、充電台５０は、図２に示すように、充電台制御部６０と、充電台通信部６４と、給電部５１と、電力供給回路６９とを有している。
【００３７】
充電台制御部６０は、バスライン５９を介して、充電台通信部６４と、給電部５１の電源入断切替回路６８との制御を行う装置である。充電台制御部６０は、ＣＰＵ６１とＲＯＭ６２とＲＡＭ６３とを有している。
【００３８】
ＣＰＵ６１は、充電台５０の各部を制御する演算装置である。ＲＯＭ６２は、ＣＰＵ６１により実行される制御プログラムや子機４０へ送信する各種信号（非給電モード移行信号及び給電モード移行信号）を格納した書き換え不能な不揮発性のメモリであり、ＲＡＭ６３は、制御プログラムの実行時に各種の情報を一時的に記憶するメモリである。
【００３９】
また、ＲＡＭ４３には、非給電モードフラグと、子機載置フラグと、子機満充電フラグとが記憶される。非給電モードフラグは、充電台５０が給電モードか、非給電モードかを示すフラグである。非給電モードフラグは、ＡＣコード５０ｂがＡＣコンセント７２に接続されて充電台５０に電源が供給された際に、まずオフに設定され、親オフモード移行信号及び子オフモード移行信号（後述する）のいずれかを受信した場合に、オンに設定される。また、オンに設定された非給電モードフラグは、親待機モード移行信号及び子待機モード移行信号のいずれかを受信した場合に、オフに設定される。非給電モードフラグがオフに設定されると、ＣＰＵ６１は、充電台５０が非給電モードであると判断する。一方、非給電モードフラグがオンに設定されると、ＣＰＵ６１は、充電台５０が給電モードであると判断する。
【００４０】
子機載置フラグは、充電台５０の支持部５０ａに子機３０が載置されたか、子機３０が載置されていないかを示すフラグである。子機載置フラグも、ＡＣコード５０ｂがＡＣコンセント７２に接続されて充電台５０に電源が供給された際に、まずオフに設定され、子機３０からの子機載置信号を受信した場合に、オンに設定される。また、オンに設定された子機載置フラグは、第１所定時間の間、子機３０からの子機載置信号を受信しない場合に、オフに設定される。子機載置フラグがオフに設定されると、ＣＰＵ６１は、充電台５０に子機３０が載置されてないと判断する。一方、子機載置フラグがオンに設定されると、ＣＰＵ６１は、充電台５０に子機３０が載置されていると判断する。
【００４１】
子機満充電フラグは、充電台５０の支持部５０ａに載置された子機３０のバッテリ４８が満充電か、満充電でないかを示すフラグである。子機満充電フラグも、ＡＣコード５０ｂがＡＣコンセント７２に接続されて充電台５０に電源が供給された際に、まずオフに設定され、子機３０からの満充電信号を受信した場合に、オンに設定される。子機満充電フラグがオフに設定されると、ＣＰＵ６１は、子機３０のバッテリ４８が満充電でないと判断する。一方、子機満充電フラグがオンに設定されると、ＣＰＵ６１は、子機３０のバッテリ４８が満充電であると判断する。
【００４２】
ＣＰＵ６１とＲＯＭ６２とＲＡＭ６３とは、バスライン５９を介して相互に接続されている。よって、充電台５０に電源が供給された際に、ＣＰＵ６１は、ＲＯＭ６２から制御プログラムを読み出して、その読み出した制御プログラムを実行すると共に、制御プログラムの実行時に各種の情報をＲＡＭ６３に一時的に記憶させると共に、ＲＡＭ６３に記憶された各種情報を読み出して各種制御を実行する。
【００４３】
充電台通信部（第２通信部）６４は、近距離通信回路６５、充電台無線通信回路６６及びアンテナ６６ａを含み、親機１０及び子機３０と無線通信を行うための装置である。近距離通信回路６５は、子機３０の近距離通信回路４５（後述する）と近距離（例えば、１〜２ｍ程度）の範囲で無線通信を行う装置である。また、充電台通信部６４には、充電台５０が給電モードであるか非給電モードであるかに拘らず、ＡＣコード５０ｂがＡＣコンセント７２に接続されている場合、電力が常時供給されている。よって、充電台通信部６４は、常時信号の送受信が可能である。
【００４４】
近距離通信回路６５は、バスライン５９に接続される。近距離通信回路６５は、ＣＰＵ６１からの信号を、バスライン５９を介して入力すると、その入力された信号を変換して内蔵されたアンテナ（図示しない）から放射する。ここで、近距離通信回路６５が送信する信号は、非給電モード移行信号及び給電モード移行信号である。
【００４５】
一方、近距離通信回路６５は、内蔵アンテナが受信した信号を入力すると、その入力された信号から必要となる信号を取り出し、バスライン５９へ出力する。出力された信号はＣＰＵ６１に受信される。ここで、近距離通信回路６５が受信する信号は、子機３０の近距離通信回路４５から送信された子機載置信号及び満充電信号である。
【００４６】
充電台無線通信回路６６は、アンテナ６６ａで受信した信号から必要となる情報を取り出す受信回路（図示せず）を有し、親機１０及び子機３０と無線通信を行う装置である。また、充電台無線通信回路６６は、近距離通信回路６５よりもその無線通信可能範囲が大きい（例えば、１０〜２０ｍ程度の範囲）。また、充電台無線通信回路６６は、アンテナ６６ａと接続されると共に、バスライン５９にも接続される。充電台無線通信回路６６は、アンテナ６６ａが受信した信号を入力すると、その入力された信号から必要となる信号を取り出し、バスライン５９へ出力する。出力された信号はＣＰＵ６１に受信される。ここで、充電台無線通信回路６６が受信する信号は、親機１０から送信された親オフモード移行信号及び親待機モード移行信号と、子機３０から送信された子オフモード移行信号及び子待機モード移行信号である。
【００４７】
給電部５１は、給電回路６７と、電源入断切替回路６８とを含む。給電回路６７は、充電台５０の支持部５０ａに子機３０が載置された場合に、子機３０を非接触（例えば、電磁誘導式）で充電可能な装置である。給電回路６７は、電力を供給するための供給線６８ａによって電源入断切替回路６８と接続される。給電回路６７は、電源入断切替回路６８から供給された電力を、非接触で子機３０の受電回路４９に供給する。
【００４８】
電源入断切替回路６８は、給電回路６７への電力の供給と遮断を切り替える装置である。電源入断切替回路６８は、電力を供給するための供給線６９ａによって電力供給回路６９と接続される。また、電源入断切替回路６８は、バスライン５９とも接続される。電源入断切替回路６８は、親機１０から親オフモード移行信号及び子機３０から子オフモード移行信号のいずれかを受信した際に、ＣＰＵ６１からバスライン５９を介して電力供給遮断の指示が入力されると、電力供給回路６９から給電回路６７へ供給される電力を遮断する。この後、充電台５０が給電モードから非給電モードに移行する。つまり、非給電モードにおいては、子機３０の受電回路４９に電力供給が不可能となる。
【００４９】
一方、電源入断切替回路６８は、親機１０から親待機モード移行信号及び子機３０から子待機モード移行信号のいずれかを受信した際に、ＣＰＵ６１からバスライン５９を介して電力供給の指示が入力されると、電力供給回路６９から給電回路６７へ電力を供給する。この後、充電台５０が非給電モードから給電モードに移行する。つまり、給電モードにおいては、子機３０の受電回路４９に電力供給が可能となり、非給電モードよりも消費電力が多い。
【００５０】
電力供給回路６９は、電源入断切替回路６８を介して給電回路６７へ電力を供給する装置である。電力供給回路６９は、ＡＣコンセント７２からＡＣコード５０ｂを介して供給された電力を、所定の電力量に設定し、電源入断切替回路６８に供給する。
【００５１】
次に、子機３０について説明する。子機３０は、図２に示すように、表示部３１と、入力部３２と、電源スイッチ３３と、スピーカ／マイク３４と、子制御部４０と、子通信部４４と、バッテリ４８と、受電回路（受電部）４９とを有している。
【００５２】
表示部３１は、ユーザに情報を表示するインターフェースである。入力部３２は、ユーザが指示を入力するためのインターフェースである。スピーカ／マイク３４は、通話機能を実現するためのものである。
【００５３】
電源スイッチ３３は、ユーザの操作により、子機３０の電源をオン状態とオフ状態とに選択的に切り替えるためのものである。子機３０の電源がオフ状態のときは、表示部３１、入力部３２、スピーカ／マイク３４、子機無線通信回路４６へのバッテリ４８からの電力供給が遮断される。一方、子機３０の電源がオン状態のときは、子機３０の電力が必要な構成要素すべてにバッテリ４８からの電力が供給される。
【００５４】
子制御部４０は、バスライン３５を介して、表示部３１、スピーカ／マイク３４、子通信部４４の制御を行う。また、子制御部４０は、ＣＰＵ４１、ＲＯＭ４２、ＲＡＭ４３を有している。
【００５５】
ＣＰＵ４１は、子機３０の各部を制御する演算装置である。ＲＯＭ４２は、ＣＰＵ４１により実行される制御プログラムや充電台５０へ送信する各種信号（子オフモード移行信号、子待機モード移行信号、子機載置信号及び満充電信号）を格納した書き換え不能な不揮発性のメモリである。ＲＡＭ４３は、制御プログラムの実行時に各種の情報を一時的に記憶するメモリである。
【００５６】
また、ＲＡＭ４３には、子オフモードフラグが記憶される。子オフモードフラグは、子機３０の子機無線通信回路４６へ電力が供給される子待機モードか、子機無線通信回路４６へ電力が遮断される子オフモードかを示すフラグである。子待機モードは、子オフモードよりも消費電力が多い。子オフモードフラグは、ユーザによる電源スイッチ３３の操作により、電源がオン状態となることでオフに設定され、電源がオフ状態となることでオンに設定される。また、子オフモードフラグは、充電台５０からの給電モード移行信号を受信した際にオフに設定され、充電台５０からの非給電モード移行信号を受信した際にオンに設定される。子オフモードフラグがオフに設定されると、ＣＰＵ４１は、子機３０が子待機モードであると判断する。一方、子オフモードフラグがオンに設定されると、ＣＰＵ４１は、子機３０が子オフモードであると判断する。
【００５７】
ＣＰＵ４１とＲＯＭ４２とＲＡＭ４３とは、バスライン３５を介して相互に接続されている。よって、子機３０の電源がオン状態となると、ＣＰＵ４１は、ＲＯＭ４２から制御プログラムを読み出して、その読み出した制御プログラムを実行すると共に、制御プログラムの実行時に各種の情報をＲＡＭ４３に一時的に記憶させると共に、ＲＡＭ４３に記憶された各種情報を読み出して各種制御を実行する。ＣＰＵ４１は、子待機モードである場合、第１所定時間よりも短い第２所定時間経過する度にバスライン３５を介して近距離通信回路４５から子機載置信号を送信する。
【００５８】
子通信部４４は、近距離通信回路４５、子機無線通信回路４６、アンテナ４６ａ及び電源入断切替回路４７を含み、親機１０及び子機３０と無線通信を行うための装置である。近距離通信回路４５は、充電台５０の近距離通信回路６５と近距離（例えば、１〜２ｍ程度）の範囲で無線通信を行う装置である。また、近距離通信回路４５には、バッテリ４８から電力が常時供給されている。よって、近距離通信回路４５は、常時信号の送受信が可能である。
【００５９】
近距離通信回路４５は、バスライン３５に接続される。近距離通信回路４５は、ＣＰＵ４１からの信号を、バスライン３５を介して入力すると、その入力された信号を変換して内蔵されたアンテナ（図示しない）から放射する。ここで、近距離通信回路４５が送信する信号は、子機載置信号及び満充電信号である。
【００６０】
一方、近距離通信回路４５は、内蔵アンテナが受信した信号を入力すると、その入力された信号から必要となる信号を取り出し、バスライン３５へ出力する。出力された信号はＣＰＵ４１に受信される。ここで、近距離通信回路４５が受信する信号は、充電台５０の近距離通信回路６５から送信された非給電モード移行信号及び給電モード移行信号である。
【００６１】
子機無線通信回路４６は、送信する情報を信号に変えてアンテナ４６ａに送り出す送信回路（図示せず）と、アンテナ４６ａで受信した信号から必要となる情報を取り出す受信回路（図示せず）とを有し、親機１０及び充電台５０と無線通信を行う装置である。また、子機無線通信回路４６は、近距離通信回路４５よりもその無線通信可能範囲が大きい（例えば、１０〜２０ｍ程度の範囲）。子機無線通信回路４６は、アンテナ４６ａと接続されると共に、バスライン３５にも接続される。子機無線通信回路４６は、ＣＰＵ４１からの信号を、バスライン３５を介して入力すると、その入力された信号を変換してアンテナ４６ａから放射する。一方、子機無線通信回路４６は、アンテナ４６ａが受信した信号を入力すると、その入力された信号から必要となる信号を取り出し、バスライン３５へ出力する。出力された信号はＣＰＵ４１に受信される。
【００６２】
また、子機無線通信回路４６は、電力を供給するための供給線４７ａによって電源入断切替回路４７と接続され、電源入断切替回路４７から電力が供給されている。このため、電源入断切替回路４７によって供給される電力が遮断され、子機３０が子待機モードから子オフモードに移行すると、子機無線通信回路４６による通信は不可能となる。つまり、子オフモードにおいては、子機３０の子通信部４４が親機１０の親通信部２４に対して通信不可能となる。このとき、子機無線通信回路４６が充電台無線通信回路６６に対しても通信不可能となるが、近距離通信回路４５と近距離通信回路６５とは通信可能である。
【００６３】
電源入断切替回路４７は、子機無線通信回路４６への電力の供給と遮断を切り替える装置である。電源入断切替回路４７は、電力を供給するための供給線４８ａによってバッテリ４８と接続される。また、電源入断切替回路４７は、バスライン３５とも接続される。電源入断切替回路４７は、子待機モードから子オフモードに移行する際に、ＣＰＵ４１からバスライン３５を介して電力供給遮断の指示が入力されると、バッテリ４８から子機無線通信回路４６へ供給される電力を遮断する。この後、子機１０が子待機モードから子オフモードに移行する。なお、本実施形態において、子機３０が子待機モードから子オフモードに移行するのは、ユーザの電源スイッチ３３の操作により、子機３０の電源がオン状態からオフ状態にされた場合と、子制御部４０が充電台５０から非給電モード移行信号を受信した場合である。
【００６４】
一方、電源入断切替回路４７は、子オフモードから子待機モードに移行する際に、ＣＰＵ４１からバスライン３５を介して電力供給の指示が入力されると、バッテリ４８から子機無線通信回路４６へ電力を供給する。この後、子機３０が子オフモードから子待機モードに移行する。つまり、子待機モードにおいては、子機３０の子通信部４４が親機１０の親通信部２４に対して通信可能となる。なお、本実施形態において、子機３０が子オフモードから子待機モードに移行するのは、ユーザの電源スイッチ３３の操作により、子機３０の電源がオフ状態からオン状態にされた場合と、子制御部４０が充電台５０から給電モード移行信号を受信した場合である。
【００６５】
ここで、子機無線通信回路４６は、ユーザの電源スイッチ３３の操作により子オフモードから子待機モードに移行する際に、アンテナ４６ａから子待機モード移行信号を充電台５０に送信し、ユーザの電源スイッチ３３の操作により子待機モードから子オフモードに移行する際に、アンテナ４６ａから子オフモード移行信号を充電台５０に送信する。
【００６６】
バッテリ４８は、電源入断切替回路４７を介して子機無線通信回路４６へ電力を供給するものである。バッテリ４８は、電力を供給するための供給線４８ａによって受電回路４９と接続される。また、バッテリ４８は、受電回路４９から供給されることで充電された電力を電源入断切替回路４７に供給する。
【００６７】
受電回路４９は、給電回路６７から供給される電力を受電し、その電力をバッテリ４８に供給する装置である。受電回路４９は、バッテリ４８の充電状態を判断して満充電である場合、バスライン３５に満充電であることを示す信号を出力する。ＣＰＵ４１は、満充電であることを示す信号を受信した場合、バスライン３５を介して近距離通信回路４５から満充電信号を送信する。
【００６８】
続いて、通信装置１の親機１０が、電源状態に応じて実行する制御フローについて、図３（ａ）及び図３（ｂ）を参照しつつ以下に説明する。まずは、親機１０の電源がオン状態であるときに、ユーザの電源スイッチ１５の操作に基づいて実行される制御フローについて説明する。親機１０の親制御部２０は、図３（ａ）に示すように、ユーザの電源スイッチ１５の操作によって親機１０の電源がオフ状態とされたか否かを判定する（Ｓ１０１）。Ｓ１０１において、親機１０の電源がオン状態の場合（ＮＯ）、Ｓ１０１を繰り返し、電源がオフ状態の場合（ＹＥＳ）、Ｓ１０２に進む。Ｓ１０２において、親制御部２０は、親機無線通信回路２５を介して充電台５０に親オフモード移行信号を送信する。その後、親制御部２０は、親機１０を親待機モードから親オフモードへ移行する。つまり、親オフモードフラグがオンに設定され、電源入断切替回路２７に電力供給遮断の指示が入力されて親通信部２４などへの電力供給が遮断される。こうして、親機１０が親オフモードとなる。
【００６９】
続いて、親機１０の電源がオフ状態であるときに、ユーザの電源スイッチ１５の操作に基づいて実行される制御フローについて説明する。なお、ＡＣコード１０ａはＡＣコンセント７１に接続された状態とする。親機１０の親制御部２０は、図３（ｂ）に示すように、ユーザの電源スイッチ１５の操作によって親機１０の電源がオン状態とされたか否かを判定する（Ｓ１１１）。Ｓ１１１において、親機１０の電源がオフ状態の場合（ＮＯ）、Ｓ１１４に進み、電源がオン状態の場合（ＹＥＳ）、Ｓ１１２に進む。Ｓ１１２において、親制御部２０は、親機１０を親オフモードから親待機モードへ移行する。つまり、親オフモードフラグがオフに設定され、電源入断切替回路２７に電力供給の指示が入力されて親通信部２４などへの電力が供給される。こうして、親機１０が親待機モードとなる。この後、親制御部２０は、Ｓ１１３において、親機無線通信回路２５を介して充電台５０に親待機モード移行信号を送信する。
【００７０】
Ｓ１１１からＳ１１４に進んだ場合、親制御部２０は、Ｓ１１４において、所定期間経過したか否かを判定する。ここでいう所定期間とは、電源がオフ状態となってから時計回路１７のコンデンサの蓄電がなくなる直前までの期間をいう。Ｓ１１４において、所定期間経過していない場合（ＮＯ）、Ｓ１１１に戻り、所定期間経過した場合（ＹＥＳ）、Ｓ１１５に進む。Ｓ１１５において、親制御部２０は、親機１０を親待機モードへ一時的に移行する。このときの親待機モードへの一時的な復帰は、Ｓ１１６でのメンテナンス動作のためだけであるため、親オフモードフラグの設定も特に行わない。なお、このときの親待機モードへの移行は、上述の親待機モードの移行と同様であり、親制御部２０が電源入断切替回路２７を制御し、親機無線通信回路２５及び通信制御回路２６への電力が供給される。この後、親制御部２０は、時計回路１７を制御し、所定時間の間、時計回路１７のコンデンサに電力を供給し蓄電させるメンテナンス動作を実行する（Ｓ１１６）。そして、親制御部２０は、親機１０を親待機モードから親オフモードへ移行させ（Ｓ１１７）、この後、Ｓ１１１に戻る。こうして、図３（ａ）及び図３（ｂ）に示す制御フローが終了する。
【００７１】
続いて、通信装置１の充電台５０が親機１０からの信号に基づいて実行する制御フローについて、図４（ａ）及び図４（ｂ）を参照しつつ以下に説明する。まず、充電台５０のＡＣコード５０ｂがＡＣコンセント７２に接続された状態であり、給電モードを取るときに実行される制御フローについて説明する。充電台５０の充電台制御部６０は、図４（ａ）に示すように、親オフモード移行信号を受信したか否かを判定する（Ｓ２０１）。Ｓ２０１において、親オフモード移行信号を受信していない場合（ＮＯ）、Ｓ２０１を繰り返し、親オフモード移行信号を受信した場合（ＹＥＳ）、Ｓ２０２に進む。Ｓ２０２において、充電台制御部６０は、子機３０が充電台５０の支持部５０ａに載置されているか否かを判定する。このとき、充電台制御部６０は、上述の第１所定時間が経過するまでの間に、子機３０から子機載置信号を受信したか否かを判定する。Ｓ２０２において、子機載置信号を受信しない場合（ＮＯ）、子機３０が載置されていないと判定しＳ２０４に進み、子機載置信号を受信した場合（ＹＥＳ）、子機３０が載置されていると判定しＳ２０３に進む。
【００７２】
次に、充電台制御部６０は、Ｓ２０３において、子機３０から満充電信号を受信したか否かを判定する。Ｓ２０３において、満充電信号を受信しない場合（ＮＯ）、Ｓ２０３を繰り返し、満充電信号を受信した場合（ＹＥＳ）、Ｓ２０４に進む。つまり、Ｓ２０３においては、子機３０のバッテリ４８が満充電となるまで、給電回路６７から受電回路４９に電力が供給される。
【００７３】
次に、充電台制御部６０は、Ｓ２０４において、近距離通信回路６５を介して子機３０に非給電モード移行信号を送信する。その後、充電台制御部６０は、Ｓ２０５において、給電モードから非給電モードへ移行する。つまり、非給電モードフラグがオンに設定され、充電台制御部６０が電源入断切替回路６８を制御して給電回路６７への電力供給を遮断する（給電停止処理）。こうして、充電台５０が非給電モードとなる。
【００７４】
続いて、充電台５０のＡＣコード５０ｂがＡＣコンセント７２に接続された状態であり、非給電モードを取るときに実行される制御フローについて説明する。充電台制御部６０は、図４（ｂ）に示すように、親待機モード移行信号を受信したか否かを判定する（Ｓ２１１）。Ｓ２１１において、親待機モード移行信号を受信していない場合（ＮＯ）、Ｓ２１１を繰り返し、親待機モード移行信号を受信した場合（ＹＥＳ）、Ｓ２１２に進む。Ｓ２１２において、充電台制御部６０は、近距離通信回路６５を介して子機３０に給電モード移行信号を送信する。その後、充電台制御部６０は、Ｓ２１３において、非給電モードから給電モードへ移行する。つまり、非給電モードフラグがオフに設定され、充電台制御部６０が電源入断切替回路６８を制御して給電回路６７へ電力を供給する（給電処理）。こうして、充電台５０が給電モードとなる。こうして、図４（ａ）及び図４（ｂ）に示す制御フローが終了する。
【００７５】
続いて、通信装置１の子機３０が実行する制御フローについて、図５（ａ）、図５（ｂ）、図６（ａ）及び図６（ｂ）を参照しつつ以下に説明する。子機３０の電源がオン状態（すなわち、子待機モードを取る状態）において、充電台５０からの信号に基づいて実行される制御フローについて説明する。子機３０の子制御部４０は、図５（ａ）に示すように、非給電モード移行信号を受信したか否かを判定する（Ｓ３０１）。Ｓ３０１において、非給電モード移行信号を受信していない場合（ＮＯ）、Ｓ３０１を繰り返し、非給電モード移行信号を受信した場合（ＹＥＳ）、Ｓ３０２に進む。Ｓ３０２において、子機３０は、子待機モードから子オフモードへ移行する。つまり、子オフモードフラグがオンに設定され、子制御部４０が電源入断切替回路４７を制御して子機無線通信回路４６への電力供給を遮断する。こうして、子機３０が子オフモードとなる。
【００７６】
続いて、子機３０の電源がオフ状態（すなわち、子オフモードを取る状態）において、充電台５０からの信号に基づいて実行される制御フローについて説明する。子機３０の子制御部４０は、図５（ｂ）に示すように、給電モード移行信号を受信したか否かを判定する（Ｓ３１１）。Ｓ３１１において、給電モード移行信号を受信していない場合（ＮＯ）、Ｓ３１１を繰り返し、給電モード移行信号を受信した場合（ＹＥＳ）、Ｓ３１２に進む。Ｓ３１２において、子機３０は、子オフモードから子待機モードへ移行する。つまり、子オフモードフラグがオフに設定され、子制御部４０が電源入断切替回路４７を制御して子機無線通信回路４６へ電力を供給する。こうして、子機３０が子待機モードとなる。
【００７７】
続いて、子機３０の電源がオン状態（すなわち、子待機モードを取る状態）において、ユーザの電源スイッチ３３の操作に基づいて実行される制御フローについて説明する。子機３０の子制御部４０は、図６（ａ）に示すように、ユーザの電源スイッチ３３の操作によって子機３０の電源がオフ状態とされたか否かを判定する（Ｓ４０１）。Ｓ４０１において、子機３０の電源がオン状態の場合（ＮＯ）、Ｓ４０１を繰り返し、電源がオフ状態の場合（ＹＥＳ）、Ｓ４０２に進む。Ｓ４０２において、子制御部４０は、子機無線通信回路４６を介して充電台５０に子オフモード移行信号を送信する。その後、子機３０は、子機３０を子待機モードから子オフモードへ移行する。つまり、子オフモードフラグがオンに設定され、子制御部４０が電源入断切替回路４７を制御して子機無線通信回路４６への電力供給を遮断する。こうして、子機３０が子オフモードとなる。
【００７８】
続いて、子機３０の電源がオフ状態（すなわち、子オフモードを取る状態）において、ユーザの電源スイッチ３３の操作に基づいて実行される制御フローについて説明する。子機３０の子制御部４０は、図６（ｂ）に示すように、ユーザの電源スイッチ３３の操作によって子機３０の電源がオン状態とされたか否かを判定する（Ｓ４１１）。Ｓ４１１において、子機３０の電源がオフ状態の場合（ＮＯ）、Ｓ４１１を繰り返し、電源がオン状態の場合（ＹＥＳ）、Ｓ４１２に進む。Ｓ４１２において、子機３０は、子オフモードから子待機モードへ移行する。つまり、子オフモードフラグがオフに設定され、子制御部４０が電源入断切替回路４７を制御して子機無線通信回路４６へ電力を供給する。こうして、子機３０が子待機モードとなる。この後、子制御部４０は、Ｓ４１３において、子機無線通信回路４６を介して充電台５０に子待機モード移行信号を送信する。こうして、図５（ａ）、図５（ｂ）、図６（ａ）及び図６（ｂ）に示す制御フローが終了する。
【００７９】
続いて、通信装置１の充電台５０が子機３０からの信号に基づいて実行する制御フローについて、図７（ａ）及び図７（ｂ）を参照しつつ以下に説明する。まず、親機１０の電源がオン状態であり、充電台５０のＡＣコード５０ｂがＡＣコンセント７２に接続された状態であり、且つ、充電台５０が給電モードを取るときに実行される制御フローについて説明する。充電台５０の充電台制御部６０は、図７（ａ）に示すように、子オフモード移行信号を受信したか否かを判定する（Ｓ５０１）。Ｓ５０１において、子オフモード移行信号を受信していない場合（ＮＯ）、Ｓ５０１を繰り返し、子オフモード移行信号を受信した場合（ＹＥＳ）、Ｓ５０２に進む。充電台制御部６０は、Ｓ５０２において、給電モードから非給電モードへ移行する。つまり、非給電モードフラグがオンに設定され、充電台制御部６０が電源入断切替回路６８を制御して給電回路６７への電力供給を遮断する（給電停止処理）。こうして、充電台５０が非給電モードとなる。
【００８０】
続いて、親機１０の電源がオン状態であり、充電台５０のＡＣコード５０ｂがＡＣコンセント７２に接続された状態であり、且つ、充電台５０が非給電モードを取るときに実行される制御フローについて説明する。充電台５０の充電台制御部６０は、図７（ｂ）に示すように、子待機モード移行信号を受信したか否かを判定する（Ｓ５１１）。Ｓ５１１において、子待機モード移行信号を受信していない場合（ＮＯ）、Ｓ５１１を繰り返し、子待機モード移行信号を受信した場合（ＹＥＳ）、Ｓ５１２に進む。充電台制御部６０は、Ｓ５１２において、非給電モードから給電モードへ移行する。つまり、非給電モードフラグがオフに設定され、充電台制御部６０が電源入断切替回路６８を制御して給電回路６７へ電力を供給する（給電処理）。こうして、充電台５０が給電モードとなる。こうして、図７（ａ）及び図７（ｂ）に示す制御フローが終了する。
【００８１】
以上に述べたように、本実施形態の通信装置１によると、充電台５０は、親機１０が親待機モードを取っている場合（親機１０の電源がオン状態）において、子機３０が子待機モードから子オフモードに移行する子オフモード移行信号を受信した場合、給電モードから非給電モードを取ることが可能となる（Ｓ５０２）。このため、子機３０を使用しない場合に、無駄な電力消費を抑制することが可能となる。
【００８２】
また、充電台制御部６０は、図７（ｂ）に示すように、親機１０が親待機モードを取っている場合（親機１０の電源がオン状態）において、子機３０が子オフモードから子待機モードに移行した子待機モード移行信号を受信した場合、非給電モードから給電モードに移行するように電源入断切替回路６８（給電部５１）を制御する（Ｓ５１２）。これにより、子機３０を使用することが可能になるタイミングで、子機３０に電力を供給することが可能となる。
【００８３】
また、充電台５０は、図４（ａ）に示すように、親機１０が親待機モードから親オフモードに移行する親オフモード移行信号を受信した場合、給電モードから非給電モードを取ることが可能となる（Ｓ２０５）。このため、親機１０を使用しない、すなわち子機３０を使用することができない状況下において、無駄な電力消費を抑制することが可能となる。
【００８４】
また、子制御部４０は、図５（ａ）に示すように、充電台５０が給電モードから非給電モードに移行する非給電モード移行信号を受信した場合、子待機モードから子オフモードに移行するように電源入断切替回路４７（子通信部４４）を制御する（Ｓ３０２）。これにより、子機３０の無駄な電力消費を抑制することが可能となる。
【００８５】
また、充電台制御部６０は、図４（ｂ）に示すように、親機１０が親オフモードから親待機モードに移行する親待機モード移行信号を受信した場合、非給電モードから給電モードに移行するように、電源入断切替回路６８（給電部５１）を制御する（Ｓ２１３）。これにより、子機３０を使用することが可能になるタイミングで、子機３０に電力を供給することが可能となる。
【００８６】
また、子制御部４０は、図５（ｂ）に示すように、充電台５０が非給電モードから給電モードに移行する給電モード移行信号を受信した場合、子オフモードから子待機モードに移行するように電源入断切替回路４７（子通信部４４）を制御する（Ｓ３１２）。これにより、子機３０を使用することが可能になるタイミングで、子待機モードを取ることが可能となる。
【００８７】
また、親制御部２０は、親オフモードを取っている場合において、所定期間経過した場合、Ｓ１１５において親待機モードへ一時的に移行し、Ｓ１１６において時計回路１７のコンデンサに蓄電させるメンテナンス動作を実行する。これにより、親機１０の一時的なメンテナンスで、親オフモードから親待機モードに移行した後における無駄な電力消費を抑制することが可能となる。
【００８８】
上述の実施形態においては、子機３０が親機１０を介して外部装置と通信可能に構成されていたが、親機１０を介さずに外部装置と通信可能な通信機１３０であってもよい。この変形例における通信機１３０は、図８に示すように、上述の子機３０とほぼ同様な構成であり、上述の親機１０の通信制御回路２６と同様な通信制御回路３６が設けられ、電話回線網８０と接続可能に構成されている。なお、上述の実施形態と同様なものについては、同符号で示し説明を省略する。
【００８９】
通信制御回路３６は、子通信部（第１通信部）４４に含まれ、電源入断切替回路４７と電力を供給するための供給線４７ｂによって接続されている。電源入断切替回路４７は、子機無線通信回路４６に対する電力の供給と遮断を切り替えるタイミングで、通信制御回路３６への電力の供給と遮断を切り替える。このため、本変形例における通信機１３０は、上述の子オフモードと同様なオフモードにおいて、外部装置に対して子通信部４４が通信不可能な状態となる。一方、通信機１３０は、上述の子待機モードと同様な待機モードにおいて、外部装置に対して子通信部４４が通信可能な状態となる。本変形例においては、通信機１３０の子機無線通信回路４６が、ユーザの電源スイッチ３３の操作によりオフモードから待機モードに移行する際に、アンテナ４６ａから待機モード移行信号を充電台５０に送信し、ユーザの電源スイッチ３３の操作により待機モードからオフモードに移行する際に、アンテナ４６ａからオフモード移行信号を充電台５０に送信する。そして、充電台５０は、通信機１３０からのオフモード移行信号（子オフモード移行信号に相当）及び待機モード移行信号（子待機モード移行信号に相当）を受信することで、上述の実施形態と同様に、図７（ａ）及び図７（ｂ）に示すような制御フローを実行する。
【００９０】
このような変形例においても、上述の実施形態と同様に、充電台５０は、通信機１３０が待機モードからオフモードに移行する信号を受信した場合、非給電モードを取ることが可能となる。このため、通信機１３０を使用しない場合に、無駄な電力消費を抑制することが可能となる。なお、本変形例においては、通信機１３０の受電回路４９と充電台５０の給電回路６７とは、端子間で接触することでバッテリ４８に充電可能に構成されていてもよい。
【００９１】
以上、本発明の好適な実施の形態について説明したが、本発明は上述の実施の形態に限られるものではなく、特許請求の範囲に記載した限りにおいて様々な変更が可能なものである。例えば、子制御部４０は、非給電モード移行信号を受信しても子待機モードから子オフモードに移行しなくてもよい。さらに子制御部４０は、給電モード移行信号を受信しても子待機モードに移行しなくてもよい。また、親制御部２０は、メンテナンス動作を実行しなくてもよい。また、メンテナンス動作が、プリンタ部の機能回復に係る定期的な回復動作であってもよい。
【符号の説明】
【００９２】
１  通信装置
１０  親機
２０  親制御部
２４  親通信部
３０  子機
４０  子制御部
４４  子通信部
４８  バッテリ
４９  受電回路（受電部）
５０  充電台
５０ａ  支持部
５１  給電部
６０  充電台制御部（制御部）
６４  充電台通信部（通信部、第２通信部）
８０  電話回線網（通信回線網）
【図１】
2019180177.tif 000003
【図２】
2019180177.tif 000004
【図３】
2019180177.tif 000005
【図４】
2019180177.tif 000006
【図５】
2019180177.tif 000007
【図６】
2019180177.tif 000008
【図７】
2019180177.tif 000009
【図８】
2019180177.tif 000010